(57)【要約】【課題】ある方式がすでに運用されているところに、他の方式を追加的に運用する場合など、従来の無線基地局システムでは、それぞれの方式による無線制御装置と無線装置とが必要となる。【解決手段】一実施形態による無線基地局装置は、第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部を有する。  他の実施形態による無線装置は、第１の通信方式のクロックレートと、前記第１の通信方式のクロックレートと異なる第２の通信方式のクロックレートとの公倍数のクロックレートでサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部を有する。【選択図】図３
2010062856.tif 000002
【特許請求の範囲】
【請求項１】
第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部
を有する無線基地局装置。
【請求項２】
第１の通信方式のクロックレートと、前記第１の通信方式のクロックレートと異なる第２の通信方式のクロックレートとの公倍数のクロックレートでサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部
を有する無線装置。
【請求項３】
第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部と、
前記レート変換部がサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部と、
を有する無線装置。
【請求項４】
第１の通信方式のクロックレートと、前記第１の通信方式のクロックレートと異なる第２の通信方式のクロックレートとの公倍数のクロックレートで、前記第１の通信方式のベースバンド信号をサンプリングする第１のレート変換部と、
前記公倍数のクロックレートで、前記第２の通信方式のベースバンド信号をサンプリングする第２のレート変換部と、
を有する外部インターフェース信号装置。
【発明の詳細な説明】
【技術分野】
【０００１】
本発明は無線基地局装置及び無線装置に関する。
【背景技術】
【０００２】
第３世代の移動通信ネットワークでは、システムチップレートが異なる２つの通信方式、すなわちＷ−ＣＤＭＡ方式（ｃｈｉｐ  Ｒａｔｅ：３．８４Ｍｃｐｓ、占有帯域幅：５ＭＨｚ）とＣＤＭＡ２０００方式（Ｃｈｉｐ  Ｒａｔｅ：１．２２８８Ｍｃｐｓ、占有帯域幅：１．２５ＭＨｚ）が用いられている。
【０００３】
図１は、従来の無線基地局システムを示す概略図である。図１に示した従来の無線基地局システム（ＢＴＳ）は、Ｗ−ＣＤＭＡ方式の無線基地局システム（ＢＴＳ）４００と、ＣＤＭＡ２０００方式の無線基地局システム（ＢＴＳ）５００とを備えられている。各無線基地局システム４００、５００は、ベースバンド信号処理、呼処理、監視制御などを行う無線制御装置（ＲＥＣ）４１０、５１０と、送受信号分離多重、周波数フィルタリング、電力増幅、信号変調、及び周波数変換などの機能を有し、無線搬送処理を行う無線装置（ＲＥ）４２０、５２０とを備えている。
【０００４】
このように、Ｗ−ＣＤＭＡ方式の無線基地局システム４００とＣＤＭＡ２０００方式の無線基地局システムを備え、独立して無線搬送波を送信する場合、それぞれのアンテナ８、９から、それぞれの方式で定義された送信周波数及び送信帯域の無線搬送波が送信される。
【特許文献１】特表平１１−５０９０５４号公報
【特許文献２】特許第３８０２９２０号公報
【発明の開示】
【発明が解決しようとする課題】
【０００５】
しかし、一方の方式（例えば、Ｗ−ＣＤＭＡ方式）がすでに運用されているところに、他方の方式（例えば、ＣＤＭＡ２０００方式）を追加的に運用する場合や、両方の通信方式の運用を同時に開始する場合に、従来の無線基地局システムでは、それぞれの方式による無線制御装置と無線装置とが用いられる。
【０００６】
それにより、設備投資や、電力、設置スペース等の設備の運用費用の増大が問題となる。また、置局設計において両方式の無線基地局システムの設置スペースが必要となる。
【０００７】
さらに、無線基地局システムの設置や調整に時間がかかる。
そこで、複数の通信方式の無線制御装置が無線装置を共用可能とすることを目的とする。
【課題を解決するための手段】
【０００８】
一実施形態による無線基地局装置は、第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部を有する。
【０００９】
他の実施形態による無線装置は、第１の通信方式のクロックレートと、前記第１の通信方式のクロックレートと異なる第２の通信方式のクロックレートとの公倍数のクロックレートでサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部を有する。
【００１０】
他の実施形態による無線装置は、第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部と、
前記レート変換部がサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部を有する。
【００１１】
さらに他の実施形態による外部インターフェース信号装置は、
第１の通信方式のクロックレートと、前記第１の通信方式のクロックレートと異なる第２の通信方式のクロックレートとの公倍数のクロックレートで、前記第１の通信方式のベースバンド信号をサンプリングする第１のレート変換部と、
前記公倍数のクロックレートで、前記第２の通信方式のベースバンド信号をサンプリングする第２のレート変換部とを有する。
【発明の効果】
【００１２】
一実施形態による無線基地局システムは、複数の通信方式の無線制御装置が無線装置を共用することができる。
【発明を実施するための最良の形態】
【００１３】
図面を参照して実施形態を詳しく説明する。図面にわたって同一の構成要素には同一の参照番号を付した。
【００１４】
図２は、第１の実施形態による無線基地局システムを示す概略図である。図２に示した無線基地局システムは、Ｗ−ＣＤＭＡ方式無線基地局装置２と、ＣＤＭＡ２０００方式無線基地局装置４と、無線装置５と、アンテナ６とを含む。
【００１５】
Ｗ−ＣＤＭＡ方式無線基地局装置２は、Ｗ−ＣＤＭＡ方式無線制御装置（ＲＥＣ）２１を含み、無線制御装置２１の出力は無線装置（ＲＥ）５の第１の入力に接続されている。
【００１６】
ＣＤＭＡ２０００方式無線基地局装置４は、ＣＤＭＡ２０００方式無線制御装置（ＲＥＣ）４１を含み、無線制御装置４１の出力は無線装置（ＲＥ）５の第２の入力に接続されている。
【００１７】
無線装置５の出力はアンテナ６に接続されている。Ｗ−ＣＤＭＡ方式無線制御装置２１とＣＤＭＡ２０００方式無線制御装置４１との間で無線装置５を共用するため、アンテナ６よりそれぞれの方式に対応した周波数帯の無線搬送波を合わせて送信することが可能となる。
【００１８】
［第１実施形態］
図３は、図２に示した第１の実施形態による無線基地局システムの構成を示すブロック図である。図３に示した無線基地局システムは、Ｗ−ＣＤＭＡ方式に対応した上位装置１と、無線基地局装置２と、ＣＤＭＡ２０００方式に対応した上位装置３と、無線基地局装置４と、Ｗ−ＣＤＭＡ方式とＣＤＭＡ２０００方式に対応した無線装置（ＲＥ）５と、アンテナ６とを備える。
【００１９】
無線基地局装置２は、無線制御装置（ＲＥＣ）２１を備える。無線制御装置２１は、共通制御部２１１と、ベースバンド信号処理部２１２と、インターフェース信号変換部２１３とを備える。
【００２０】
また、無線基地局装置４は、無線制御装置（ＲＥＣ）４１を備える。無線制御装置４１は、共通制御部４１１と、ベースバンド信号処理部４１２と、インターフェース信号変換部４１３とを備える。
【００２１】
また、無線装置（ＲＥ）５は、インターフェース信号部５１と、送受信増幅部５２とを備える。
【００２２】
上位装置１、３はコアネットワーク装置である。上位装置１は、例えばＷ−ＣＤＭＡ方式に対応したＲＮＣ（Ｒａｄｉｏ  Ｎｅｔｗｏｒｋ  Ｃｏｎｔｒｏｌｌｅｒ）やａＧＷ（ａｃｃｅｓｓ−Ｇａｔｅ  Ｗａｙ）である。上位装置３は、例えばＣＤＭＡ２０００方式に対応したＲＮＣ（Ｒａｄｉｏ  Ｎｅｔｗｏｒｋ  Ｃｏｎｔｒｏｌｌｅｒ）やａＧＷ（ａｃｃｅｓｓ−Ｇａｔｅ  Ｗａｙ）である。上位装置１、３は、それぞれの無線通信方式に対応したデータを送受信する。
【００２３】
無線制御装置（ＲＥＣ）２１、４１の共通制御部２１１、４１１は、例えば、それぞれの無線基地局装置２、４の他の構成要素に対する同期信号の供給や、個々のユーザ設定などの無線基地局装置２、４の制御を行う。
【００２４】
ベースバンド信号処理部２１２、４１２は、例えば、それぞれ上位装置１、３からのデータをＩ（Ｉｎ  Ｐｈａｓｅ）信号とＱ（Ｑｕｖａｄｕｒａｔｕｒｅ  Ｐｈａｓｅ）信号よりなるベースバンド信号に変換して、インターフェース信号変換部２１３、４１３に出力する。
【００２５】
インターフェース信号変換部２１３、４１３は、例えば、両方式独自のクロックレートを共通のサンプリングクロックレートに載せ替えて、無線装置５のインターフェース信号部５１と信号の送受信を行う。詳細は後述する。
【００２６】
一方、無線装置（ＲＥ）５のインターフェース信号部５１は、無線制御装置（ＲＥＣ）２１、４１のインターフェース信号変換部２１３、４１３からの信号を、それぞれの方式の周波数にマッピングして、送受信増幅部５２に出力する。また、これとは逆に、送受信増幅部５２からの信号を、Ｗ−ＣＤＭＡ方式の信号とＣＤＭＡ２０００方式の信号とに分離して、それぞれのインターフェース信号変換部２１３、４１３へ出力する。
【００２７】
送受信増幅部５２は、インターフェース信号部５１からの信号を無線信号に変調し、増幅してからアンテナ６に出力する。また、これとは逆に、アンテナ６からの信号をデジタル信号に復調してインターフェース信号部５１に出力する。
【００２８】
したがって、図３に示した無線通信システムでは、無線基地局装置２、４にそれぞれ対応する無線装置（ＲＥ）を設置する必要がなく、無線装置５を共用して、Ｗ−ＣＤＭＡ方式とＣＤＭＡ２０００方式のサービスを提供できる。
【００２９】
［実施例１］
図４は、図３の無線基地局システムの第１の実施例を示すブロック図である。図３の無線基地局システムのインターフェース信号変換部２１３と、インターフェース信号変換部４１３と、インターフェース信号部５１と、送受信増幅部５２の詳細な構成例を示している。なお、図を分かりやすくするため、図３に示した上位装置１、３と、共通制御部２１１、４１１と、ベースバンド信号処理部２１２、４１２と、アンテナ６とは図示を省略した。
【００３０】
無線制御装置２１のインターフェース信号変換部２１３は、レート変換部２１３１と、変換部２１３２とを備える。
【００３１】
また、無線制御装置４１のインターフェース信号変換部４１３は、レート変換部４１３１と、変換部４１３２とを備える。
【００３２】
インターフェース信号部５１は、インターフェース信号変換部２１３、４１３にそれぞれ対応した変換部５１１、５１２と、周波数マッピング部５１３と、ＩＱ抽出部５１４とを備える。
【００３３】
周波数マッピング部５１３は、周波数判別部５１３１と、Ｗ−ＣＤＭＡ方式に対応する処理経路入口部ｆ１（５１３２）と、ＣＤＭＡ２０００方式に対応する処理経路入口部ｆ２（５１３３）とを備える。
【００３４】
また、ＩＱ抽出部５１４は、ＷＣＤＭＡ方式に対応するＩＱ抽出部５１４１と、ＣＤＭＡ２０００方式に対応するＩＱ抽出部５１４２とを含む。
【００３５】
送受信増幅部５２は、ＷＣＤＭＡ方式及びＣＤＭＡ２０００方式にそれぞれ対応するＤ／Ａ変換部５２１、５２７と、変調部５２２、５２８と、増幅部５２３、５２９と、受信部５２４、５３２と、ダウンコンバータ５２５、５３１と、Ａ／Ｄ変換部５２６、５３０とを備える。
【００３６】
図４に示した無線基地局２、４及び無線装置５の動作について、図３も参照しつつ説明する。
【００３７】
最初に下り方向（上位装置１、３からアンテナ６への方向）の動作について説明する。
【００３８】
図３に示すように、上位装置１は、Ｗ−ＣＤＭＡ方式に対応するデータを無線基地局装置２に出力する。出力されたデータは、共通制御部２１１を介してベースバンド信号処理部２１２に送られ、Ｉ、Ｑ信号のベースバンド信号に変換される。変換されたベースバンド信号は、図４に示すレート変換部２１３１に入力される。
【００３９】
レート変換部２１３１は、ベースバンド信号に対して、Ｗ−ＣＤＭＡ方式のクロックレート３．８４ＭＨｚの８倍のオーバサンプリング（高次サンプリング）により３０．７２ＭＨｚのサンプリングクロックレート信号にクロックレートを変換し（図８参照）、変換部２１３２へ出力する。レート変換部は例えば分周回路を含む。
【００４０】
変換部２１３２は、レート変換部２１３１の出力を、無線装置５に搭載されている変換部５１１とのインターフェース信号、例えば適切な電気信号プロトコル、光信号プロトコル、または独自プロトコル信号などに変換し、無線装置５の変換部５１１に出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００４１】
一方、上位装置３は、ＣＤＭＡ２０００方式に対応するデータを無線基地局装置４に出力する。出力されたデータは、共通制御部４１１を介してベースバンド信号処理部４１２に送られ、Ｉ、Ｑ信号のベースバンド信号に変換され、図４に示すレート変換部４１３１に入力される。
【００４２】
レート変換部４１３１は、ベースバンド信号に対して、ＣＤＭＡ２０００方式のクロックレート１．２２８８ＭＨｚの２５倍のオーバサンプリング（高次サンプリング）により３０．７２ＭＨｚのサンプリングクロックレート信号にクロックレートを変換し（図８参照）、変換部４１３２へ出力する。
【００４３】
すなわち、レート変換部２１３１、４１３１は、Ｗ−ＣＤＭＡ方式のクロックレートと、ＣＤＭＡ２０００方式のクロックレートとの公倍数（この場合は最小公倍数）のクロックレートで、それぞれの方式のベースバンド信号を高次サンプリングしている。
【００４４】
変換部４１３２は、レート変換部４１３１の出力を、無線装置５に搭載されている変換部５１２とのインターフェース信号、例えば適切な電気信号プロトコル、光信号プロトコル、独自プロトコル信号などに変換し、無線装置５の変換部５１２に出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００４５】
無線装置５の各機能部は、サンプリングクロックレートを基本クロックレートとして動作する。
【００４６】
変換部５１１、５１２は、それぞれＷ−ＣＤＭＡ方式の変換部２１３２からの信号と、ＣＤＭＡ２０００方式の変換部４１３２からの信号を逆変換（変換部２１３２、４１３２がした変換の逆変換）をして、サンプリングクロックレートのままそれぞれベースバンド信号に戻し、周波数マッピング部５１３へ出力する。
【００４７】
周波数マッピング部５１３は、周波数判別部５１３１を有する。周波数判別部５１３１は、入力された各ベースバンド信号の周波数を判別し、所定の周波数帯域に周波数をシフトし、周波数シフトした各ベースバンド信号をｆ１出力部５１３２またはｆ２出力部５１３３へ送る。ｆ１出力部５１３２、ｆ２出力部５１３３はそれぞれの周波数のベースバンド信号を出口であり、特別な信号処理は行わない。
【００４８】
以降、送受信増幅部５２へ出力された信号は、それぞれＤ／Ａ変換、変調、増幅されて無線搬送波として送信される。Ｄ／Ａ変換部５２１、５２７は周波数シフトされた信号をそれぞれアナログ信号に変換する。変調部５２２、５２８は、アナログ信号に変換されたＩ、Ｑ信号をそれぞれ直交変調する。増幅部５２３、５２９は、各周波数に対応した直交変調後の信号を増幅してアンテナ６に出力する。
【００４９】
アンテナ６は、増幅された信号を無線通信により、各方式の携帯電話やＰＤＡ（Ｐｅｒｓｏｎａｌ  Ｄｉｇｉｔａｌ  Ａｓｓｉｓｔａｎｔ）などの情報端末に送信する。これにより、各方式のそれぞれのユーザにサービスを提供できる。
【００５０】
次に、上り方向（アンテナ６から上位装置１、３への方向）の動作について説明する。
【００５１】
アンテナ６で受信した信号は、２つの経路に分岐され、一方の経路（受信部５２４、ダウンコンバータ５２５、Ａ／Ｄ変換部５２６及びＩＱ抽出部５１４１）においてＷ−ＣＤＭＡ方式のための受信処理を受け、他方の経路（受信部５３２、ダウンコンバータ５３１、Ａ／Ｄ変換部５３０及びＩＱ抽出部５１４２）においてＣＤＭＡ２０００方式のための受信処理を受ける。すなわち、各無線方式を運用するにあたり、アンテナ６から受信する信号(周波数帯)は、各方式共に既知であるため、予め各周波数帯に対応した受信部、ダウンコンバータ、Ａ／Ｄ変換機能などを搭載して、それぞれの方式に従ったＩＱ抽出を実行する。
【００５２】
なお、本実施形態では、送受信増幅部５２は２つの経路があるように示したが、他の実施形態では、１つの経路で処理した信号をバンドパスフィルタ等で選択的にＩＱ抽出部５１４１、５１４２に分配してもよい。
【００５３】
受信部５２４、５３２は信号を増幅し、所定のアナログ信号に変換する。ダウンコンバータ５２５、５３１は、後段のＡ／Ｄ変換部５２６、５３０に入力できる周波数にダウンコンバートする。Ａ／Ｄ変換部５２６、５３０は、ダウンコンバートされた信号をデジタル信号に変換して、インターフェース信号部５１のＩＱ抽出部５１４に出力する。
【００５４】
インターフェース信号部５１において、ＩＱ抽出部５１４は、それぞれの方式に対応したＩＱベースバンド信号の抽出部５１４１、５１４２を有し、デジタル変換された信号から各周波数に対応するＩ、Ｑ信号を抽出して、変換部５１１、５１２に出力する。
【００５５】
変換部５１１、５１２では抽出されたＩ、Ｑ信号を各方式の制御装置に搭載されている変換部２１３２、４１３２向けのインターフェース信号、例えば電気信号プロトコル、光信号プロトコル、独自プロトコル信号などに変換し、各方式の変換部２１３２、４１３２に出力する。ここで述べる変換部５１１、５１２、と変換部２１３２、４１３２間のインターフェース信号に関しても、下り方向で説明したとおりである。
【００５６】
Ｗ−ＣＤＭＡ方式の変換部２１３２は受信した信号を、サンプリングクロックレートのベースバンド信号に変換し、レート変換部２１３１へ出力する。レート変換部２１３１はサンプリングクロックレートに対し１／８倍のサンプリングのレート変換（ダウンサンプリング）を施し、Ｗ−ＣＤＭＡ方式の独自のクロックレートにレートダウンしたベースバンド信号（図８参照）を、図３のベースバンド信号処理部２１２へ出力する。ベースバンド信号処理部２１２は、ベースバンド信号にベースバンド信号処理を施し、共通制御部２１１を介して、上位装置１へ出力する。
【００５７】
一方、ＣＤＭＡ２０００方式の変換部４１３２は受信した信号を、サンプリングクロックレートのベースバンド信号に変換し、レート変換部４１３１へ出力する。レート変換部４１３１はサンプリングクロックレートに対し１／２５倍のサンプリングのレート変換（ダウンサンプリング）を施し、ＣＤＭＡ２０００方式の独自のクロックレートにレートダウンしたベースバンド信号（図８参照）を、図３のベースバンド信号処理部４１２へ出力する。ベースバンド信号は、ベースバンド信号処理部４１２にてベースバンド信号処理を施し、共通制御部４１１を介して、上位装置３へ出力する。
【００５８】
［実施例２］
図５は、図３の無線基地局システムの第２の実施例を示すブロック図である。図４に示した第１の実施例では、レート変換部２１３１、４１３１をそれぞれ無線基地局装置２、４に備えたが、図５に示す第２の実施例では、レート変換部５１５、５１６を無線装置５に備えている。
【００５９】
両方式共に上位装置１、３とベースバンド信号処理部２１２、４１２との間の入出力信号処理、及び無線装置５の送受信増幅部５２とアンテナ６との間の入出力信号処理は、図４に示した第１の実施例と同様である。
【００６０】
まず、下り方向（上位装置１、３からアンテナ６への方向）の動作について説明する。
【００６１】
両方式の無線基地局装置２、４の変換部２１３２、４１３２は、ベースバンド信号を、無線装置５に搭載されている変換部５１１、５１２とのインターフェース信号、例えば適切な電気信号プロトコル、光信号プロトコル、独自プロトコル信号などに変換し、無線装置５の変換部５１１、５１２へ出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００６２】
変換部５１１、５１２は、両方式の無線制御装置２、４の変換部２１３１、４１３１から受け取ったインターフェース信号を、それぞれベースバンド信号に逆変換（変換部２１３１、４１３１が行った変換の逆変換）し、それぞれの接続先であるレート変換部５１５、５１６に出力する。
【００６３】
レート変換部５１５は、入力されたＷ−ＣＤＭＡ方式のクロックレート３．８４ＭＨｚのベースバンド信号に対し、８倍のオーバサンプリング（高次サンプリング）を行い、３０．７２ＭＨｚのサンプリングクロックレート信号にレートを変換し（図８参照）、周波数マッピング部５１３へ出力する。
【００６４】
また、レート変換部５１６は、入力されたＣＤＭＡ２０００方式のクロックレート１．２２８８ＭＨｚのベースバンド信号に対し、２５倍のオーバサンプリング（高次サンプリング）を行い、３０．７２ＭＨｚのサンプリングクロックレート信号にレートを変換し（図８参照）、周波数マッピング部５１３へ出力する。
【００６５】
すなわち、レート変換部５１５、５１６は、Ｗ−ＣＤＭＡ方式のクロックレートと、ＣＤＭＡ２０００方式のクロックレートとの公倍数（この場合は最小公倍数）のクロックレートで、それぞれの方式のベースバンド信号を高次サンプリングしている。
【００６６】
以降は第1の実施例と同様の動作となる。
【００６７】
周波数マッピング部５１３は、サンプリングクロックレートの入力信号をそれぞれの周波数帯域に周波数シフトする。周波数シフトされた信号は、送受信増幅部５２へ出力される。
【００６８】
次に、上り方向（アンテナ６から上位装置１、３への方向）の動作について説明する。
【００６９】
ＩＱ抽出部５１４は、各方式に対応するＩ、Ｑ信号をレート変換部５１５、５１６に出力する。
【００７０】
レート変換部５１５は、入力されたサンプリングクロックレートのベースバンド信号に対し１／８倍のサンプリングレートに変換（ダウンサンプリング）を施し、クロックレート３．８４ＭＨｚのベースバンド信号に変換し（図８参照）、変換部５１１へ出力する。
【００７１】
また、レート変換部５１６は、入力されたサンプリングクロックレートのベースバンド信号に対し１／２５倍のサンプリングレートに変換（ダウンサンプリング）を施し、クロックレート１．２２８８ＭＨｚのベースバンド信号に変換し（図８参照）、変換部５１２へ出力する。変換部５１１、５１２は両方式の無線制御装置に搭載される変換部２１３１、４１３１とのインターフェース信号、例えば電気信号プロトコル、光信号プロトコル、独自プロトコル信号などに変換し出力する。変換部間のインターフェース信号変換方法に関しては第１の実施例で説明したとおりである。両方式の無線制御装置の変換部２１３２、４１３２は、入力されたインターフェース信号をそれぞれのベースバンド信号に変換し、ベースバンド信号処理部に出力する。以降は、第１の実施例と同様の動作となる。
【００７２】
［第２実施形態］
次に、図６を参照して、第２の実施形態による無線基地局システムを説明する。図６は、第２の実施形態による無線基地局システムの構成を示すブロック図である。図６の無線基地局システムは、Ｗ−ＣＤＭＡ方式とＣＤＭＡ２０００方式のそれぞれに対応する上位装置１、３と、無線基地局装置２、４と、両方式に共通の無線装置５と、アンテナ６とに加え、無線基地局装置２、４と無線装置５との間に外部インターフェース信号装置７を備えている。
【００７３】
第１の実施形態では、無線基地局装置２、４、または無線装置５にレート変換部を備えていたが、第２の実施形態では、無線基地局装置２、４と無線装置５との間に外部インターフェース信号装置７を備え、この外部インターフェース信号装置７にレート変換部を備えるものである。
【００７４】
［実施例３］
図７を参照して、図６に示す無線通信システムの構成における第１の実施例（実施例３）を説明する。図７は、図６の無線基地局システムの第１の実施例を示すブロック図である。
【００７５】
外部インターフェース信号装置７は、変換部７１、７２と、レート変換部７３、７４と、周波数マッピング部７５と、ＩＱ抽出部７６と、変換部７７とを有する。
【００７６】
両通信方式共に上位装置１、３と変換部２１３２、４１３２との間の入出力信号処理、及び無線装置５の送受信増幅部５２とアンテナ６との間の入出力信号処理は、第１の実施形態の実施例と同様である。
【００７７】
まず、下り方向（上位装置１、３からアンテナ６への方向）の動作について説明する。両通信方式の変換部２１３２、４１３２は、ベースバンド信号を外部インターフェース信号装置７に搭載されている変換部７１、７２とのインターフェース信号、例えば適切な電気信号プロトコル、光信号プロトコル、独自プロトコル信号などに変換し、外部インターフェース信号装置７の変換部７１、７２へ出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００７８】
変換部７１、７２は、両方式の無線制御装置２１、４１の変換部２１３２、４１３２からのインターフェース信号をベースバンド信号に逆変換し、それぞれの接続先であるレート変換部７３、７４に出力する。
【００７９】
レート変換部７３は、入力されたＷ−ＣＤＭＡ方式のクロックレート３．８４ＭＨｚのベースバンド信号に対し、８倍のオーバサンプリング（高次サンプリング）を行い、３０．７２ＭＨｚのサンプリングクロックレート信号にレートを変換し（図８参照）、周波数マッピング部７５へ出力する。
【００８０】
また、レート変換部７４は、入力されたＣＤＭＡ２０００方式のクロックレート１．２２８８ＭＨｚのベースバンド信号に対し、２５倍のオーバサンプリング（高次サンプリング）を行い、３０．７２ＭＨｚのサンプリングクロックレート信号にレートを変換し（図８参照）、周波数マッピング部７５へ出力する。
【００８１】
すなわち、レート変換部７３、７４は、Ｗ−ＣＤＭＡ方式のクロックレートと、ＣＤＭＡ２０００方式のクロックレートとの公倍数（この場合は最小公倍数）のクロックレートで、それぞれの方式のベースバンド信号を高次サンプリングしている。
【００８２】
周波数マッピング部７５は、サンプリングクロックレートで入力されたそれぞれのＩ、Ｑ信号を所定の周波数帯域に周波数シフトする。周波数シフトされた信号は、変換部７７へ出力される。
【００８３】
変換部７７は周波数マッピングされた入力信号を、無線装置５に搭載される変換部５１１とのインターフェース信号、例えば適切な電気信号プロトコル、光信号プロトコル、独自プロトコル信号などに変換し、無線装置５の変換部５１１へ出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００８４】
無線装置５の変換部５１１は、外部インターフェース信号装置７の変換部７７からのインターフェース信号を、Ｄ／Ａ変換部５２１とのインターフェース信号に変換し出力する。以降は、上記の実施例と同様である。
【００８５】
次に、上り方向（アンテナ６から上位装置１、３への方向）の動作について説明する。
【００８６】
無線装置５のＡ／Ｄ変換部５２６、５３０から出力されたデジタル信号は、変換部５１１に入力される。変換部５１１は入力されたデジタル信号を、外部インターフェース信号装置７の変換部７７とのインターフェース信号、例えば適切な電気信号プロトコル、光信号プロトコル、独自プロトコル信号などに変換し、外部インターフェース信号装置７の変換部７７へ出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００８７】
外部インターフェース信号装置７の変換部７７は、無線装置５の変換部５１１からのインターフェース信号をＩＱ抽出部とのインターフェース信号に変換して出力する。
【００８８】
ＩＱ抽出部７６の各方式に対応したＩＱ抽出部５１４１、５１４２は、各方式に対応するＩ、Ｑ信号をレート変換部７３、７４に出力する。
【００８９】
レート変換部７３は、入力されたサンプリングクロックレートのベースバンド信号に対し１／８倍のサンプリングレートに変換（ダウンサンプリング）を施し、クロックレート３．８４ＭＨｚのベースバンド信号に変換し（図８参照）、変換部７１へ出力する。
【００９０】
また、レート変換部７４は、入力されたサンプリングクロックレートのベースバンド信号に対し１／２５倍のサンプリングレートに変換（ダウンサンプリング）を施し、クロックレート１．２２８８ＭＨｚのベースバンド信号変換し（図８参照）、変換部７２へ出力する。
【００９１】
変換部７１、７２は、両方式の無線制御装置２１、４１の変換部２１３２、４１３２とのインターフェース信号、例えば適切な電気信号プロトコル、光信号プロトコル、独自プロトコル信号などに変換し出力する。インターフェース信号としては、例えば、ＣＰＲＩ（Common Public Radio Interface）等がある。他の実施形態では、無線制御装置と無線装置との間のインターフェース信号はＣＰＲＩ以外のインターフェース信号であってもよい。
【００９２】
両方式の無線制御装置の変換部２１３２、４１３２は、入力されたインターフェース信号をそれぞれのベースバンド信号に変換し、ベースバンド信号処理部に出力する。以降は、第１の実施形態の実施例と同様である。
【００９３】
図８は、クロックレートとサンプリングクロックレートの関係を示す図である。図８（Ａ）は、Ｗ−ＣＤＭＡ方式の３．８４ＭＨｚのベースバンド信号を８倍のオーバーサンプリングすることにより３０．７２ＭＨｚのサンプリングクロックデータが得られることを示している。また、図８（Ｂ）は、ＣＤＭＡ２０００方式の１．２２８８ＭＨｚベースバンド信号を２５倍のオーバーサンプリングすることにより３０．７２ＭＨｚのサンプリングクロックデータが得られることを示している。３０．７２ＭＨｚが上記実施例で説明した最小公倍数のサンプリングクロックレートである。ここでは最小公倍数としたが、公倍数であればよく、必ずしも最小公倍数であることは要しない。
【００９４】
なお、上記の実施形態では、Ｗ−ＣＤＭＡ方式とＣＤＭＡ２０００方式との間で通信装置を共通化した。他の実施形態では、例えばＬＴＥ（Long Term Evolution）でもよいし、さらに他の実施形態では、ＷｉＭＡＸ等でもよい。
【００９５】
また、上記の実施形態では、２つの方式の間で通信装置を共通化した。他の実施形態では、３つ以上の通信方式の間で通信装置を共通化してもよい。
【００９６】
以上、本発明の実施の形態について詳述したが、本発明は特定の実施形態に限定されるものではなく、特許請求の範囲に記載された本発明の要旨の範囲内において、種々の変形及び変更が可能である。
【００９７】
以上の実施形態に関し、更に以下の付記を開示する。
（付記１）
第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部を有する無線基地局装置。
（付記２）
前記レート変換部は、前記公倍数のクロックレートの受信信号を前記第１の通信方式のクロックレートにダウンサンプリングする、付記１に記載の無線基地局装置。
（付記３）
第１の通信方式のクロックレートと、前記第１の通信方式のクロックレートと異なる第２の通信方式のクロックレートとの公倍数のクロックレートでサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部を有する無線装置。
（付記４）
第１の通信方式のクロックレートと、前記第１の通信方式のクロックレートと異なる第２の通信方式のクロックレートとの公倍数のクロックレートで、前記第１の通信方式のベースバンド信号をサンプリングするレート変換部と、
前記レート変換部がサンプリングした前記第１の通信方式のベースバンド信号と前記第２の通信方式のベースバンド信号とを受け取り、周波数を判別して、前記第１の通信方式のベースバンド信号と前記第２の通信方式のベースバンド信号とに分ける周波数判別部を有する無線装置。
（付記５）
前記レート変換部は、前記公倍数のクロックレートの受信信号を前記第１の通信方式のクロックレートにダウンサンプリングする、付記４に記載の無線基地局装置。
（付記６）
第１の通信方式のクロックレートと、前記第１の通信方式のクロックレートと異なる第２の通信方式のクロックレートとの公倍数のクロックレートで、前記第１の通信方式のベースバンド信号をサンプリングする第１のレート変換部と、
前記公倍数のクロックレートで、前記第２の通信方式のベースバンド信号をサンプリングする第２のレート変換部とを有する外部インターフェース信号装置。
（付記７）
前記第１のレート変換部がサンプリングした前記第１の通信方式のベースバンド信号と、前記第２のレート変換部がサンプリングした前記第２の通信方式のベースバンド信号とを受け取り、周波数を判別して、前記第１の通信方式のベースバンド信号と前記第２の通信方式のベースバンド信号とに分ける周波数判別部を有する、付記６に記載の外部インターフェース信号装置。
（付記８）
前記第１のレート変換部は、前記公倍数のクロックレートの受信信号を前記第１の通信方式のクロックレートにダウンサンプリングし、
前記第２のレート変換部は、前記公倍数のクロックレートの受信信号を前記第２の通信方式のクロックレートにダウンサンプリングする、付記６に記載の外部インターフェース信号。
【図面の簡単な説明】
【００９８】
【図１】従来の無線基地局システムを示す概略図である。
【図２】第１の実施形態による無線基地局システムを示す概略図である。
【図３】第１の実施形態による無線基地局システムの構成を示すブロック図である。
【図４】図３の無線基地局システムの第１の実施例を示すブロック図である。
【図５】図３の無線基地局システムの第２の実施例を示すブロック図である。
【図６】第２の実施形態による無線基地局システムの構成を示すブロック図である。
【図７】図６の無線基地局システムの第１の実施例を示すブロック図である。
【図８】クロックレートとサンプリングクロックレートの関係を示す図である。
【符号の説明】
【００９９】
１、３  上位装置
２、４  無線基地局
２１、４１  無線制御装置
２１１、４１１  共通制御部
２１２、４１２  ベースバンド信号処理部
２１３、４１３  インターフェース信号変換部
２１３１、４１３１  レート変換部
２１３２、４１３２  変換部
５  共通無線装置
５１  インターフェース信号部
５２  送受信増幅部
５１１、５１２  変換部
５１３  周波数マッピング部
５１４  ＩＱ抽出部
５１５、５１６  レート変換部
５２１  Ｄ／Ａ変換部
５２２  変調部
５２３  増幅部
５２４  受信部
５２５  ダウンコンバータ
５２６  Ａ／Ｄ変換部
６  アンテナ
７  外部インターフェース信号装置
７１、７２、７７  変換部
７３、７４  レート変換部
７５  周波数マッピング部
７６  ＩＱ抽出部
【図１】
2010062856.tif 000003
【図２】
2010062856.tif 000004
【図３】
2010062856.tif 000005
【図４】
2010062856.tif 000006
【図５】
2010062856.tif 000007
【図６】
2010062856.tif 000008
【図７】
2010062856.tif 000009
【図８】
2010062856.tif 000010